(57)【要約】【課題】フィンダのレンズを固定するレンズホルダーを簡素な構成で径方向に小型化することが課題である。【解決手段】レンズと、レンズホルダーと、ホルダー蓋と、前記レンズホルダーに光軸方向に開口した複数の挿入部と、前記レンズホルダーに前記ホルダー蓋を前記光軸方向に規制する複数の規制部と、前記ホルダー蓋に複数の係合凸部と、前記規制部に前記係合凸部を押圧する付勢手段を有することを特徴とする。上記構成により、レンズホルダーが簡素な構造で径方向に小型化できる。これにより、光学性能に優れ、小型なファインダを実現できる効果がある。【選択図】図１２ａ
2018125596.tif 000002
【特許請求の範囲】
【請求項１】
レンズと、レンズホルダーと、ホルダー蓋と、前記レンズホルダーに光軸方向に開口した複数の挿入部と、前記レンズホルダーに前記ホルダー蓋を前記光軸方向に規制する複数の規制部と、
前記ホルダー蓋に複数の係合凸部と、前記規制部に前記係合凸部を押圧する付勢手段を有することを特徴とするファインダ装置。
【請求項２】
前記ホルダー蓋が前記ホルダーに対して回動することを防止する抜け止め部を、前記レンズホルダーに有することを特徴とする請求項１に記載のファインダ装置。
【請求項３】
前記ホルダー蓋はレンズを通る光線を遮断しない範囲で、径方向全周にわたり光軸方向に傾斜した傾斜部を有し、前記傾斜部の径方向外面に複数の指かかり部を有することを特徴とする請求項１に記載のファインダ装置。
【請求項４】
前記付勢部材がホルダー蓋とレンズの間にあり、前記付勢部材のホルダー蓋面側の摩擦係数が、レンズ側面の摩擦係数より小さいことを特徴とする請求項１に記載のファインダ装置。
【発明の詳細な説明】
【技術分野】
【０００１】
本発明は、複数枚のレンズとレンズホルダーを有するファインダ装置に関し、レンズホルダーの径方向の小型化に好適なものである。
【背景技術】
【０００２】
ファインダ装置では、レンズ径を大きくすることで、画角が大きくなり、かつ、ケラれにくくなることが知られている。しかし、レンズが大型化すると、ファインダ自体が大きくなり、モバイル機としての魅力が損なわれる。そこで、レンズ以外の要素の小型化が必要となる。その中でも本提案はレンズホルダーの小型化に着目したものである。このレンズホルダーには、小型化の他に、製造費が安く、防塵性能が高く、組みバラシが容易であることが求められる。
【０００３】
この分野において、係合凸部を有し、３枚のレンズを保持するレンズホルダーを、係合穴部を有するレンズホルダー蓋で封止する構造が特許文献１で開示されている。
【先行技術文献】
【特許文献】
【０００４】
【特許文献１】特開２０１２−４９６１４号公報
【発明の概要】
【発明が解決しようとする課題】
【０００５】
特許文献１の構成は、レンズホルダーの外周を覆う形で、ホルダー蓋がレンズホルダーに係合する。そのため、径方向にはレンズホルダーの肉厚とホルダー蓋の肉厚を足した厚みが必要となる。また、係合穴部を構築するための、スライド構造が金型に必要になる。また、防塵性の向上に関しては謳われていない。そこで、より簡素な構造で径方向に小型なレンズホルダーが必要となる。
【課題を解決するための手段】
【０００６】
そこで、提案するファインダ装置はレンズと、レンズホルダーと、ホルダー蓋と、前記レンズホルダーに光軸方向に開口した複数の挿入部と、前記レンズホルダーに前記ホルダー蓋を前記光軸方向に規制する複数の規制部と、前記ホルダー蓋に複数の係合凸部と、前記規制部に前記係合凸部を押圧する付勢手段を有することを特徴とする  
【発明の効果】
【０００７】
上記の構成により、レンズホルダーが簡素な構造で径方向に小型化できる。これにより、光学性能に優れ、小型なファインダを実現できる効果がある。
【図面の簡単な説明】
【０００８】
【図１ａ】撮像装置斜視図。
【図１ｂ】撮像装置上面図。
【図１ｃ】ローアングル撮影時撮像装置斜視図。
【図１ｄ】ハイアングル撮影時撮像装置斜視図。
【図２ａ】ファインダ装置正面斜視図。
【図２ｂ】ファインダ装置背面斜視図。
【図３】光路説明図。
【図４】ルーペ部開状態斜視図。
【図５】パネルユニット斜視図。
【図６ａ】ルーペ部斜視図。
【図６ｂ】ルーペ部分解斜視図。
【図７ａ】レンズユニット組み付け図。
【図７ｂ】レンズユニット組み付け拡大図。
【図８ａ】レンズユニット斜視図。
【図８ｂ】レンズユニット分解斜視図。
【図８ｃ】レンズユニット分解斜視図。
【図９ａ】可動レンズ組み付け図。
【図９ｂ】可動レンズ組み付け図。
【図１０ａ】レンズユニット正面図。
【図１０ｂ】レンズユニット断面拡大図。
【図１１ａ】ルーペ部分解斜視図。
【図１１ｂ】ルーペ部分解斜視図。
【図１１ｃ】ルーペ部分解斜視図。
【図１１ｄ】ルーペ部分解斜視図。
【図１２ａ】ホルダー蓋組み付け図。
【図１２ｂ】ホルダー蓋組み付け拡大図。
【図１２ｃ】ホルダー蓋組み付け拡大図。
【図１３ａ】レンズホルダー正面図。
【図１３ｂ】レンズホルダー斜視図。
【図１４ａ】ホルダー蓋正面図。
【図１４ｂ】ホルダー蓋斜視図。
【図１５ａ】レンズユニット正面図。
【図１５ｂ】レンズユニット断面拡大図。
【発明を実施するための形態】
【０００９】
＜第１の実施形態＞
図１ａは本実施例に係る撮像装置１の斜視図である。尚、図１ａ中の矢印にて示す方向を以下文中でＸ方向・Ｙ方向・Ｚ方向、と定める。また、各図におけるファインダ２の各要素において、図１ａに示す＋Ｚ方向側面を上面、−Ｚ方向側面を底面、＋Ｘ方向側面をＲ面、−Ｘ側面をＬ面、＋Ｙ方向側面を正面、−Ｙ方側面を背面と記載する。
【００１０】
（図１ａ・図１ｂ、図１ｃ、図１ｄの説明）
図１ａ、図１ｂ、図１ｃ、図１ｄを用いて、ファインダ２と撮像装置１の位置関係について説明する。図１ａのように、ファインダ２はファインダ取り付け部３、ハンドル４を介して撮像装置１の上面に取り付く。図１ｂは撮像装置１の上面図である。ハンドル４から伸びるハンドル側取り付け部５とファインダ取り付け部３のＸ方向レール部６が±Ｘ方向に並進移動可能に係合しているため、ファインダ２は撮像装置１に対して±Ｘ方向に複数の位置をとることができる。
【００１１】
また、ハンドル４に取りつくハンドル側締め付け部７を回動することで、撮像装置１に対してファインダ２をＸ方向任意の位置に固定することができる。ファインダ側前方取り付け部８とＹ方向レール部９が並進移動可能に係合しているため、ファインダ２は撮像装置１に対して±Ｙ方向に複数の位置をとることができる。また、ファインダ側前方締め付け部１０を回動することで、撮像装置１に対してファインダ２をＹ方向任意の位置に固定することができる。
【００１２】
また、ファインダ側前方取り付け部８と取り付けアーム部１１の間と、ファインダ側後方取り付け部１２と取り付けアーム部１１の間には、それぞれＸ軸と平行な軸を中心に回動できる不図示の１軸トルクヒンジが組み込まれている。この構成によりファインダ２はＸ軸と平行な軸を中心として、ＹＺ平面上で本体に対して角度を変えることができる。また、Ｙ軸、Ｚ軸方向に複数の位置をとることができる。このトルクヒンジの動きはファインダ側前方締め付け部１０、ファインダ側後方締め付け部１３を締め付けることで規制することができる。このように、本実施系のファインダ２は撮像装置１に対して、Ｘ方向、Ｙ方向、Ｚ方向に位置を変えることができる。また、Ｘ軸と平行な軸を中心にして、撮像装置１に対しての角度を変えることができる。
【００１３】
図１ｃと図１ｄを用いて、撮像装置１とファインダ２の相対的な姿勢が変化する例を説明する。図１ｃは被写体が低い位置にいる場合の撮像装置１とファインダ２の関係を表している。この場合、ユーザーは上からファインダ２を覗きこむ。図１ｄは被写体が高い位置にいる場合の撮像装置１とファインダ２の関係を表している。この場合、ユーザーは下からファインダ２を覗きこむ。このように、ユーザーは撮影形態に応じて、ファインダ２と撮像装置１の相対的な姿勢を変化させて撮像装置１を使うことができる。
【００１４】
（図２ａ・図２ｂ・図３・図４・図５の説明）
図２ａ・図２ｂ・図３・図４・図５を用いて、ファインダ２の概要を説明する。図２ａはファインダ２の正面斜視図である。ファインダ２は後述するパネル２４を含むパネルユニット３２と、後述するレンズ群を含むルーペ部３０で構成される。ファインダ２には、ユーザーが顔をあてるためのアイカップ１４、視度を調整するため視度調整操作部１５、押釦式のメニューキー１６、押釦式のキャンセルキー１７、メニューモードの中でカーソルを動かす十字キー１８が備わっている。十字キー１８は４方向を選択するだけでなく、押釦することができる。
【００１５】
図２ｂはファインダ２の背面斜視図である。ファインダ２には、３連のダイヤルキー１９ａ、１９ｂ、１９ｃ、４連のトグルキー２０ａ、２０ｂ、２０ｃ、２０ｄ、ダイヤルキー保護部２１を備えている。また、ファインダ２は撮像装置１からの映像信号とタリー信号を受け取り、撮像装置１にキー類からの入力信号を送るケーブルを差し込むための本体接続ジャック２２、撮影時にタリーランプが点燈するときに、不図示のＬＥＤ等の明かりを外部に透過するＬＥＤ窓２３を備えている。
【００１６】
図３は  図２ａから外装部材を取り除き、主要部材を表示した図である。図３内の破線はパネル２４の中心から発せられた光の光軸２５ａ、光軸２５ｂである。パネル２４から発せられた光はミラー２６でＸ軸と平行軸を中止に９０度曲げられて、固定レンズ２７・可動レンズ２８、可動レンズ２９の順で通過して、ユーザーの瞳に導かれる。可動レンズ２８と可動レンズ２９は  図２ａの視度調整操作部１５の動きと連動して±Ｙ方向に複数の位置をとることができる。図３において、メニューキー１６、キャンセルキー１７、十字キー１８、パネル２４、ミラー２６は前述したパネルユニット３２に内に配置している。
【００１７】
また、固定レンズ２７、可動レンズ２８、可動レンズ２９は前述したルーペ部３０内に配置している。ここで、光軸２５ｂのミラー２６に向かう方向を視認方向と呼ぶことにする。ユーザーはルーペ部３０の跳ね上げや着脱にかかわらず、パネルユニット３２に対して一定となる視認方向を覗くことになる。ファインダ２において十字キー１８は視認方向に配置されている。
【００１８】
図４はファインダ２のルーペ部３０をトルクヒンジ３１を中心に略垂直に跳ね上げた状態の図である。この形態をとることで、ユーザーはミラー２６で反射したパネル２４に表示される不図示の画像をレンズを介さずに見ることができる。また、図５のように跳ね上げたルーペ部３０を外して、パネルユニット３２だけで使用することもできる。また、本実施形態におけるパネルユニット３２は、外装部材３３  、外装部材３３、外装部材３５、外装部材３６の４つの金属外装で構成される。
【００１９】
（図６ａ・図６ｂ・図７ａ・図７ｂの説明）
図６ａ・図６ｂ・図７ａ・図７ｂを用いて、ルーペ部３０の概要につい説明する。図６ａはルーペ部３０の斜視図、図６ｂはルーペ部３０の分解斜視図である。
【００２０】
図６ｂにおいて、アイカップ１４はユーザーの眼に接することで、外光を遮光する機能を持つ。透明の保護板３７はルーペ部３０内にゴミや水滴が侵入することを防止する機能を持つ。押さえ部材３８はカム環３９やレンズユニット４０が外装部材４１から脱落するのを防止すると共に、保護板３７とアイカップ１４を固定する機能を持つ。レンズユニット４０には、不図示の可動レンズと可動レンズ２９が内蔵されている。カム環３９のカム溝４２ａにはレンズユニット４０の係合凸部４３ａが係合する。
【００２１】
係合凸部４３ａは外装部材４１の不図示の係合溝部と係合している。カム環３９の視度調整操作部１５を光軸２５ｂ回りに回動すると、レンズユニット４０はＹ軸方向に直動する。これにより、固定レンズ２７とレンズユニット４０の距離が変化する。これによりユーザーは視度を調整することができる。また、レンズユニット４０の外周には弾性部材４４ａと不図示の２つの弾性部材が貼られており、組立状態ではカム環３９と接する。これにより、レンズユニット４０とカム環３９とのガタを抑えることができる。
【００２２】
外装部材４１には、板金４５と不図示の２つの板金が取り付けられている。この板金４５はカム環３９と接している。これにより、視度調整操作部１５を回動する場合の荷重出しを行うとともに、レンズユニット４０が不用意に移動することを防ぐことができる。外装部材４１の−Ｙ方向側には固定レンズ２７、偏光板４６、弾性部材４７、透明な保護板４８が組み込まれている。
【００２３】
また、これらの部材は機構部取り付け部材４９により脱落しないよう固定されている。偏光板４６は不図示のパネルが外部から侵入する太陽光により焼けることを防ぐ役割がある。保護板４８はルーペ部３０内にゴミや水滴が侵入するのを防止する機能を持つ。弾性部材４７は固定レンズ２７と偏光板４６を外装部材４１に対して押しつけることにより、固定する役割がある。また、弾性部材４７は保護板４８を機構部取り付け部材４９に対して押しつけることにより、固定する役割がある。また、弾性部材４７を、偏光板４６と保護板４８の間に配置することにより、偏光板４６と保護板４８の適切な間隔を確保し、干渉縞を防止することが可能となる。
【００２４】
偏光板４６と保護板４８を隣接させた場合、偏光板４６と保護板４８の境界面に干渉縞が発生して、ファインダ２の見えに影響を与えることがある。弾性部材４７を偏光板４６と保護板４８の間に配置することにより、干渉縞の発生を抑えている。
【００２５】
図７ａは外装部材４１にレンズユニット４０を組み付けた様子を図示している。説明のために、カム環は不図示としている。また、図７ｂは図７ａの破線部内の拡大図である。図７ａ、図７ｂのように、レンズユニット４０の係合凸部４３ａ、係合凸部４３ｂ、係合凸部４３ｃの中で、係合凸部４３ｂだけには切り欠き部５０が設けられている。また、外装部材４１の２つの凸部５１により形成される溝形状には対応する切り欠き部５０と係合する凸部５２が設けられている。この、凸部５２と切り欠き部５０が係合する位相以外では、レンズユニット４０と外装部材４１を組み付けることができない構造となっている。
【００２６】
（図８ａ・図８ｂ・図８ｃ・図９ａ・図９ｂ・図１０ａ・図１０ｂの説明）
図８ａ・図８ｂ・図８ｃ・図９ａ・図９ｂ・図１０ａ・図１０ｂを用いて、レンズユニット４０の構成について説明する。図８ａはレンズユニット４０の斜視図である。また、図８ｂ・図８ｃはレンズユニット４０の分解斜視図である。
【００２７】
可動レンズ２８の凸面５３ａ、凸面５３ｂにはそれぞれ弾性部材５４ａ、弾性部材５４ｂが貼り付けられる。可動レンズ２９の凸面５５ａ、凸面５５ｂにはそれぞれ弾性部材５６ａ、弾性部材５６ｂが貼り付けられる。レンズホルダー５７の凹部５８に弾性部材５９を落とし込んで組む。その後に、可動レンズ２８、レンズ間部材６０、可動レンズ２９、弾性部材６１が＋Ｙ方向に落とし込みで組まれる。これらの部材はレンズホルダー５７とホルダー蓋６２が後述する手段で締結されることによりＹ軸方向に固定される。レンズホルダー５７に可動レンズ２８と可動レンズ２９が組まれた状態において、可動レンズ２８の凸面６３ａと可動レンズ２９の凸面６４ａはレンズホルダー５７の凸面６５ａと接した状態となる。
【００２８】
弾性部材５４ａはレンズホルダー５７の面６６ａに、弾性部材５６ａはレンズホルダー５７の面６７ａに圧縮変形した状態で接する。図９ａはレンズホルダー５７に可動レンズ２８までが組み込まれた図を−Ｙ方向から見た図を表している。弾性部材５４ａによって、可動レンズ２８が図中Ａ方向に付勢されることになる。図９ｂはレンズホルダー５７に可動レンズ２９までが組み込まれた図を−Ｙ方向から見た図を表している。弾性部材５６ａによって、可動レンズ２９が図中Ｃ方向に付勢されることになる。
【００２９】
可動レンズ２８の光学中心から凸面６３ａまでの距離と可動レンズ２９の光学中心から凸面６４ａまでの距離が略同一に設計されているため、可動レンズ２８と可動レンズ２９とのＸ方向の光学中心が略一致することになる。Ｚ軸方向も同様に、可動レンズ２８と可動レンズ２９が組まれた状態において、可動レンズ２８の凸面６３ｂと可動レンズ２９の凸面６４ｂはレンズホルダー５７の面６６ｂに、弾性部材５６ｂはレンズホルダー５７の面６７ｂに、に圧縮変形した状態で接する。
【００３０】
図９ａ、図９ｂにおいて、弾性部材５４ｂによって、可動レンズ２８が図中Ｂ方向に付勢されることになる。弾性部材５６ｂによって、可動レンズ２９が図中Ｄ方向に付勢されることになる。可動レンズ２８の光学中心から凸面６３ｂまでの距離と可動レンズ２９の光学中心から凸面６４ｂまでの距離が略同一に設計されているため、可動レンズ２８と可動レンズ２９とのＺ方向の光学中心が略一致することになる。
【００３１】
図１０ａはレンズホルダー５７を−Ｙ方向から見た図である。図１０ｂは図１０ａのＥ−Ｅ断面図である。弾性部材５９の付勢力より弾性部材６１付勢力の方が大きく設定されているため、可動レンズ２８は弾性部材５９に接するとともに、レンズホルダー５７の当て付け面８３に接することになる。これにレンズホルダーに対するＹ方向の位置が決まる。可動レンズ２８と可動レンズ２９のＹ方向距離はレンズ間部材６０の幅で決まる。弾性部材５９がレンズホルダー５７と可動レンズ２８と接するのと、弾性部材６１が可動レンズ２９とレンズホルダー５７と接するため、レンズユニット４０内は密閉構造となる。
【００３２】
図８ｃにおいて、レンズホルダー５７の面６６ａは面６６ｂより光軸２５ｂに近く、面６６ａと面６６ｂは滑らかに繋がった形状をしている。同様に面６７ａは面６７ｂより光軸２５ｂに近く、面６７ａと面６７ｂは滑らかに繋がった形状をしている。これにより、可動レンズ２８、をレンズホルダー５７に組み付ける際に、弾性部材５４ａ、弾性部材５４ｂが面６７ａ、面６７ｂ  に擦られながら移動する距離を減らすことができる。よって、弾性部材５４ａ、弾性部材５４ｂが摩耗して壊れることなく、可動レンズ２８をレンズホルダー５７に組み付けることができる。
【００３３】
図９ａ、図９ｂにおいて、可動レンズ２８の凸面６３ｂのＸ方向幅と可動レンズ２９の凸面６４ｂのＸ方向幅とレンズホルダー５７の凹形状７０ｂのＸ方向幅は略同一である。この幅の長さをＸ１とする。また、可動レンズ２８の凸面６３ａのＺ方向幅と可動レンズ２９の凸面６４ａのＺ方向幅とレンズホルダー５７の凹形状７０ａのＺ方向幅は略同一である。この幅の長さをＺ１とする。ここで、Ｘ１とＺ１の関係はＸ１＞Ｚ１となっている。よって、レンズホルダー５７に対して、可動レンズ２８と可動レンズ２９の組み付け方向を限定することが可能となる。
【００３４】
本実施形において、可動レンズ２８と可動レンズ２９は成形品である。よって、可動レンズ２８、可動レンズ２９の有効光線面も光軸中心に対して、完全対称には成形できない。レンズユニット４０に対して、可動レンズ２８と可動レンズ２９の組み付け方向を限定する構成になっているため、組み付け方向によるファインダ２の見えのバラつきを無くすことができる。
【００３５】
（図１１ａ・図１１ｂ・図１１ｃ・図１１ｄの説明）
図１１ａ・図１１ｂ・図１１ｃ・図１１ｄを用いて、可動レンズ２８と偏光板の固定方法について説明する。
【００３６】
図１１はルーペ部３０の固定レンズ２７側の分解斜視図である。図１１ａは＋Ｚ方向から見た図、図１１ｂは−Ｘ方向から見た図、図１１ｃは−Ｚ方向から見た図、図１１ｄは＋Ｚ方向から見た図である。固定レンズ２７の凸面６８ａ、凸面６８ｂにはそれぞれ弾性部材６９ａ、弾性部材６９ｂ  が貼り付けられる。外装部材４１に対して、固定レンズ２７、偏光板４６、弾性部材４７、保護板４８、機構部取り付け部材４９の順に組み付けられる。組み付けられた状態において、固定レンズ２７の凸面７１ａと凸面７１ｂはそれぞれ、外装部材４１の凸面７２ａと凸面７２ｂと接する。
【００３７】
また、弾性部材６９ａと弾性部材６９ｂは外装部材４１の面７３ａと面７３ｂに圧縮して接する。つまり、固定レンズ２７は外装部材４１にＸ、Ｚ方向に押しつけられた状態となり、固定レンズ２７の中心とファインダ２の光学中心を一致させることができる。
【００３８】
固定レンズ２７の凸面７１ａのＸ方向幅と偏光板４６の凸部７４ａのＸ方向幅と外装部材４１の凹部７５ａのＸ方向幅とが略一致している。この幅をＸ２とする。同様に固定レンズ２７の凸面７１ｂのＺ方向幅と偏光板４６のＺ方向幅と外装部材４１の凹部７５ｂのＺ方向幅とが略一致している。この幅をＺ２とする。ここで、Ｘ１＞Ｚ２となっている。よって、外装部材４１に対して、固定レンズ２７と偏光板４６の組み付け方向を限定する構成となる。
【００３９】
本実施形において、固定レンズ２７は成形品である。よって、有効光線面も光軸中心に対して、完全対称に成形できない。また、不図示のパネルユニットには不図示の偏光板が搭載されており、偏光板４６を誤った向きに組むと、パネルユニットの画が正しく見えなくなる。外装部材４１に対して、固定レンズ２７と偏光板４６を１通りにしか組むことができない構成になっているため、ファインダ２の見えのバラつきを抑えることができる。
【００４０】
（図１２ａ・図１２ｂ・図１２ｃ・図１３ａ・図１３ｂの説明）
図１２ａ・図１２ｂ・図１２ｃ・図１３ａ・図１３ｂ・図１４・図１５を用いて、レンズホルダー５７とホルダー蓋６２の締結方法について説明する。
【００４１】
図１２ａはレンズホルダー５７にホルダー蓋６２を組み付ける様子を−Ｚ方向から見た図である。また、図１２ｂは図１２ａの破線部の拡大図であり、図１２ｃはレンズホルダー５７にホルダー蓋６２を組み付けた図である。図１３ａはレンズホルダー５７を−Ｙ方向から見た図である。図１３ｂは斜視図である。図１４ａはホルダー蓋６２を−Ｙ方向から見た図である。図１４ｂはホルダー蓋６２の斜視図である。図１５ａはレンズユニット４０を−Ｙ方向から見た図である。１５（ｂ）は図１５ａのＢ−Ｂ断面図である。
【００４２】
図１２ａ、図１２ｂにおいて、レンズホルダー５７には挿入部７６ａ、当接部７７ａ、抜け度め部７８ａから構成される係合部８０ａ  が設けられている。図１３ａのように、係合部８０ａから光軸２５ｂ回りに１２０度、２４０度の位置にも係合部８０ａと同様の構成をもつ係合部８０ｂ、係合部８０ｃが設けられている。図１４ａ、図１４ｂにおいて、ホルダー蓋６２には係合凸部７９ａ、指係８０ａが設けられている。係合凸部７９ａから光軸２５ｂ回りに１２０度、２４０度の位置にも係合凸部７９ｂ、係合凸部７９ｃが設けられている。
【００４３】
同様に、指係８０ａから光軸２５ｂ回りに１２０度、２４０度の位置にも指係８０ｂ、指係８０ｃが設けられている。図１５ａにおいて、図１５ｂの弾性部材６１の付勢力に反して、指係にＹ方向に荷重を加えつつ反時計まわりに回動すると、図１２ｂの実線の軌跡でレンズホルダー５７の係合凸部７９ａとレンズホルダー５７の係合部８０ａが係合する。図１２ｃにおいて、ホルダー蓋６２の係合凸部７９ａは図１５ｂの弾性部材６１の付勢力により、レンズホルダー５７の当接部７７ａに当接する。また、この状態において、ホルダー蓋６２をレンズホルダー５７に対して回動しようとしても、係合凸部７９ａが抜け度め部７８ａに接触する。
【００４４】
よって、単にホルダー蓋６２を回動するだけでは、ホルダー蓋６２がレンズホルダー５７から外れない構造となる。また、ホルダー蓋６２の係合凸部７９ａの突出量はレンズホルダー５７の肉厚以下に設定してある。レンズホルダー５７の係合部８０ｂ、係合部８０ｃとホルダー蓋６２の係合部８０ｂ、係合部８０ｃの関係も前述した係合部８０ａと  係合凸部７９ａと同様となる。この構成により、レンズユニット４０のＸ，Ｚ軸最外形はレンズの径とレンズホルダー５７の肉厚で決まる。
【００４５】
よって、レンズホルダー５７とホルダー蓋６２の締結構造のために大型せず、ビス等で締結するより小型化できている。また、締結部に外開きの爪を使用していないので、組立時の爪部の塑性変形にも強い。また、接着工程がないため、容易に組みバラシが可能である。これに加え、前述した構成により、防塵性能も高いレンズユニット４０となっている。
【００４６】
図１５ｂにおいて、弾性部材６１のホルダー蓋６２に接している面はＰＥＴ面となっており、レンズホルダー５７と可動レンズ２９と接している面より摩擦係数が低い。よって、レンズホルダー５７にホルダー蓋６２を組み付ける際は、弾性部材６１とホルダー蓋６２  が滑ることになる。よって、可動レンズ２９とレンズホルダー５７と弾性部材６１の位置関係を変えることなく、レンズホルダー５７とホルダー蓋６２を締結することができる。図１５ｂにおいて、ホルダー蓋６２は−Ｙ軸方向に進むにつれ、光軸２５ｂ方向に傾斜した傾斜面８１が設けられている。
【００４７】
この傾斜面８１は破線で表現した光路範囲８２よりＸ，Ｚ軸方向に外側にある位置関係になっている。指係８０ａ、指係８０ｂ、指係８０ｃはこの傾斜面８１よりＸ，Ｚ軸方向に遠い位置、かつ、レンズホルダー５７よりＸ、Ｚ軸方向に近い位置関係になっている。この構成により、レンズユニット４０の最外形を大きくしない範囲で指係８０ａ、指係８０ｂ、指係８０ｃを大きくできる。これにより、小型化と組立性の向上を両立できる効果がある。
【００４８】
また、指係８０ａ、指係８０ｂ、指係８０ｃと可動レンズ２９の間に傾斜面８１があることにより、指係８０ａ、指係８０ｂ、指係８０ｃを触った場合に、に誤って可動レンズ２９に触れることを防ぐことができる効果がある。また、光線に略平行に配置した傾斜面８１により、ファインダ使用時に不要光をカットできる効果がある。
【００４９】
以上、本発明をその好適な実施形態に基づいて詳述してきたが、本発明はこれらとくていの実施形態に限られるものではなく、この発明の要旨を逸脱しない範囲の様々な形態も本発明に含まれる。上述の実施形態の一部を適宜組み合わせてもよい。
【符号の説明】
【００５０】
１‥‥撮像装置
２‥‥ファンダ
３‥‥ファインダ取り付け部
４‥‥ハンドル
５‥‥ハンドル側取り付け部
６‥‥Ｘ方向レール部
７‥‥ハンドル側締め付け部
８‥‥ファインダ側前方取り付け部
９‥‥Ｙ方向レール部
１０‥‥ファインダ側前方締め付け部
１１‥‥取り付けアーム部
１２‥‥ファインダ側後方取り付け部
１３‥‥ファインダ側後方締め付け部
１４‥‥アイカップ
１５‥‥視度調整操作部
１６‥‥メニューキー
１７‥‥キャンセルキー
１８‥‥十字キー
１９ａ‥‥ダイヤルキー
１９ｂ‥‥ダイヤルキー
１９ｃ‥‥ダイヤルキー
２０ａ‥‥トグルキー
２０ｂ‥‥トグルキー
２０ｃ‥‥トグルキー
２０ｄ‥‥トグルキー
２１‥‥ダイヤルキー保護部
２２‥‥本体接続ジャック
２３‥‥ＬＥＤ窓
２４‥‥パネル
２５ａ‥‥光軸
２５ｂ‥‥光軸
２６‥‥ミラー
２６ａ‥‥反射面
２６ｂ‥‥非反射面
２７‥‥固定レンズ
２８ａ‥‥可動レンズ
２８ｂ‥‥可動レンズ
２９‥‥ルーペ部
３０‥‥トルクヒンジ
３１‥‥パネルユニット
３２‥‥外装部材
３３‥‥外装部材
３４‥‥外装部材
３５‥‥外装部材
３６‥‥外装部材
３７‥‥保護板
３８‥‥押さえ部材
３９‥‥カム環
４０‥‥レンズユニット
４１‥‥外装部材
４２ａ‥‥カム溝
４３ａ‥‥係合凸部
４３ｂ‥‥係合凸部
４４‥‥弾性部材
４５‥‥板金
４６‥‥偏光板
４７‥‥弾性部材
４８‥‥保護板
４９‥‥機構部取り付け部材
５０‥‥切り欠き部
５１‥‥凹部
５２‥‥凸部
５３ａ‥‥凸面
５３ｂ‥‥凸面
５４ａ‥‥弾性部材
５４ｂ‥‥弾性部材
５５ａ‥‥凸面
５５ｂ‥‥凸面
５６ａ‥‥弾性部材
５６ｂ‥‥弾性部材
５７‥‥レンズホルダー
５８‥‥凹部
５９‥‥弾性部材
６０‥‥レンズ間部材
６１‥‥弾性部材
６２‥‥ホルダー蓋
６３ａ‥‥凸面
６３ｂ‥‥凸面
６４ａ‥‥凸面
６４ｂ‥‥凸面
６５ａ‥‥凸面
６５ｂ‥‥凸面
６６ａ‥‥面
６６ｂ‥‥面
６７ａ‥‥面
６７ｂ‥‥面
６８ａ‥‥凸面
６８ｂ‥‥凸面
６９ａ‥‥弾性部材
６９ｂ‥‥弾性部材
７０ａ‥‥凹形状
７０ｂ‥‥凹形状
７１ａ‥‥凸面
７１ｂ‥‥凸面
７２ａ‥‥凸面
７２ｂ‥‥凸面
７３ａ‥‥面
７３ｂ‥‥面
７４ａ‥‥凸部
７５ａ‥‥凹部
７５ｂ‥‥凹部
７６ａ‥‥挿入部
７７ａ‥‥当接部
７８ａ‥‥抜け度め部
７９ａ‥‥係合凸部
８０ａ‥‥係合部
８０ｂ‥‥係合部
８０ｃ‥‥係合部
７９ｂ‥‥係合凸部
７９ｃ‥‥係合凸部
８０ａ‥‥指係
８０ｂ‥‥指係
８０ｃ‥‥指係
８１‥‥傾斜面
８２‥‥光路範囲
８３‥‥当て付け面
【図１ａ】
2018125596.tif 000003
【図１ｂ】
2018125596.tif 000004
【図１ｃ】
2018125596.tif 000005
【図１ｄ】
2018125596.tif 000006
【図２ａ】
2018125596.tif 000007
【図２ｂ】
2018125596.tif 000008
【図３】
2018125596.tif 000009
【図４】
2018125596.tif 000010
【図５】
2018125596.tif 000011
【図６ａ】
2018125596.tif 000012
【図６ｂ】
2018125596.tif 000013
【図７ａ】
2018125596.tif 000014
【図７ｂ】
2018125596.tif 000015
【図８ａ】
2018125596.tif 000016
【図８ｂ】
2018125596.tif 000017
【図８ｃ】
2018125596.tif 000018
【図９ａ】
2018125596.tif 000019
【図９ｂ】
2018125596.tif 000020
【図１０ａ】
2018125596.tif 000021
【図１０ｂ】
2018125596.tif 000022
【図１１ａ】
2018125596.tif 000023
【図１１ｂ】
2018125596.tif 000024
【図１１ｃ】
2018125596.tif 000025
【図１１ｄ】
2018125596.tif 000026
【図１２ａ】
2018125596.tif 000027
【図１２ｂ】
2018125596.tif 000028
【図１２ｃ】
2018125596.tif 000029
【図１３ａ】
2018125596.tif 000030
【図１３ｂ】
2018125596.tif 000031
【図１４ａ】
2018125596.tif 000032
【図１４ｂ】
2018125596.tif 000033
【図１５ａ】
2018125596.tif 000034
【図１５ｂ】
2018125596.tif 000035